(57)【要約】【課題】  表示部の利便性を向上することができる携帯電話端末を得る。【解決手段】  ヒンジ部８を中心に開閉可能に連結された上側筐体１及び下側筐体２を有する折り畳み式の携帯電話端末は、上側筐体１の表及び裏面にそれぞれ表示部３，４を備えると共に、更に下側筐体２の裏面にも表示部１０を備える。したがって、本発明による折り畳み式の携帯電話端末が折り畳まれた状態で、ユーザは、上側筐体１裏面の表示部４と下側筐体２裏面の表示部１０とを視認することが可能である。【選択図】      図１
2007036636.tif 000002
【特許請求の範囲】
【請求項１】
ヒンジ部を中心に開閉可能に連結された第１及び第２の筐体を含み、前記第１の筐体は、前記第１及び第２の筐体の閉状態において前記第２の筐体と向かい合う表面に第１の表示部を、裏面に第２の表示部をそれぞれ有する折り畳み式の携帯電話端末であって、
前記第２の筐体の裏面に第３の表示部を備えることを特徴とする携帯電話端末。
【請求項２】
前記第１及び第２の筐体の開閉を検出する開閉検出手段と、前記開閉検出手段による前記第１及び第２の筐体の閉状態の検出に応答して、前記第２及び第３の表示部の一方に情報を表示せしめ他方をオフせしめる制御手段とを含むことを特徴とする請求項１記載の携帯電話端末。
【請求項３】
前記一方が設けられた面と同一の面に端末周辺の明るさを検出する光センサ部を備え、前記制御手段は、前記第１及び第２の筐体の閉状態において前記光センサ部により検出される明るさレベルが所定の閾値レベルより小であるとき、前記一方をオフせしめ前記他方に情報を表示せしめることを特徴とする請求項２記載の携帯電話端末。
【請求項４】
前記制御手段は、前記第１及び第２の筐体の閉状態において所定のユーザ操作に応答して、前記第２及び第３の表示部の表示を切替えることを特徴とする請求項２または３記載の携帯電話端末。
【請求項５】
前記第２の表示部が設けられた面と同一の面にカメラ部を備え、前記制御手段は、前記第１及び第２の筐体の閉状態において前記カメラ部が起動されると、前記カメラ部からの画像を前記第３の表示部に表示せしめることを特徴とする請求項２〜４いずれか記載の携帯電話端末。
【発明の詳細な説明】
【技術分野】
【０００１】
本発明は携帯電話端末に関し、特に上側筐体の表及び裏面にそれぞれ表示部を有する折り畳み式の携帯電話端末に関する。
【背景技術】
【０００２】
ヒンジ部を中心に開閉可能に連結された上側筐体及び下側筐体からなる折り畳み式の携帯電話端末として、上側筐体の表及び裏面にそれぞれ表示部を有する折り畳み式の携帯電話端末がある。このような携帯電話端末では、折り畳んだ状態（筐体を閉じた状態）において上側筐体の裏面に設けられた表示部に各種情報を表示することにより、ユーザは閉状態でも表示内容を確認することができ、利便性が向上する。
【０００３】
また、特許文献１及び２には、表示画面の拡大のために３つの表示部を備えるようにした携帯電話端末が記載されている。
【０００４】
【特許文献１】特開２００１−１７５６０９号公報
【特許文献２】特開２００１−２３７９３３号公報
【発明の開示】
【発明が解決しようとする課題】
【０００５】
上述した折り畳み式の携帯電話端末が折り畳んだ状態で机などに置かれる場合、上側筐体を上にして端末を置くのであればユーザは上側筐体の裏面に設けられた表示部を確認することができるが、下側筐体を上にして端末を置くと、上側筐体の裏面に設けられた表示部は机と向き合うことになり、ユーザは表示内容を確認することができない。したがって、ユーザは携帯電話端末を机などに置く際に、置く向きを気にせねばならず不便であった。
【０００６】
また、近年の多くの折り畳み式の携帯電話端末にはカメラ機能が備えられている。折り畳んだ状態で上側筐体の裏面に設けられた表示部に被写体を映しながらカメラの撮影ができる端末においては、下側筐体にカメラを実装する必要があるが、このような携帯電話端末において筐体を開いた状態でカメラ撮影をする場合、カメラのレンズに端末を持つ手が掛からないようにユーザは下側筐体の下側を持つ必要があり、操作時に気を使わねばならず不便であった。
【０００７】
また、カメラを上側筐体に実装している携帯電話端末においては、筐体を開いた状態でカメラ撮影をする場合はカメラのレンズに手が掛かるなどの操作性には問題ないが、折り畳んだ状態でカメラ撮影を行う場合、下側筐体に表示部がないため表示部に被写体を映しながら撮影を行うことができなかった。
【０００８】
なお、特許文献１及び２に記載の携帯電話端末は表示画面の拡大のために３つの表示部を備えているものであり、上述した折り畳み式の携帯電話端末と同様、ユーザが携帯電話端末を机などに置く際に、置く向きを気にせねばならない。
【０００９】
本発明の目的は、表示部の利便性を向上することができる携帯電話端末を提供することである。
【課題を解決するための手段】
【００１０】
本発明による携帯電話端末は、ヒンジ部を中心に開閉可能に連結された第１及び第２の筐体を含み、前記第１の筐体は、前記第１及び第２の筐体の閉状態において前記第２の筐体と向かい合う表面に第１の表示部を、裏面に第２の表示部をそれぞれ有する折り畳み式の携帯電話端末であって、前記第２の筐体の裏面に第３の表示部を備えることを特徴とする。
【００１１】
前記携帯電話端末において、前記第１及び第２の筐体の開閉を検出する開閉検出手段と、前記開閉検出手段による前記第１及び第２の筐体の閉状態の検出に応答して、前記第２及び第３の表示部の一方に情報を表示せしめ他方をオフせしめる制御手段とを含むことを特徴とする。
【００１２】
前記携帯電話端末において、前記一方が設けられた面と同一の面に端末周辺の明るさを検出する光センサ部を備え、前記制御手段は、前記第１及び第２の筐体の閉状態において前記光センサ部により検出される明るさレベルが所定の閾値レベルより小であるとき、前記一方をオフせしめ前記他方に情報を表示せしめることを特徴とする。
【００１３】
前記携帯電話端末において、前記制御手段は、前記第１及び第２の筐体の閉状態において所定のユーザ操作に応答して、前記第２及び第３の表示部の表示を切替えることを特徴とする。
【００１４】
前記携帯電話端末において、前記第２の表示部が設けられた面と同一の面にカメラ部を備え、前記制御手段は、前記第１及び第２の筐体の閉状態において前記カメラ部が起動されると、前記カメラ部からの画像を前記第３の表示部に表示せしめることを特徴とする。
【００１５】
このように、本発明では、ヒンジ部を中心に開閉可能に連結された第１及び第２の筐体を有する折り畳み式の携帯電話端末は、第１の筐体の表及び裏面にそれぞれ表示部を備えるのみならず、更に第２の筐体の裏面にも表示部を備えるようにしている。したがって、本発明による折り畳み式の携帯電話端末が折り畳まれた状態で、ユーザは、第１の筐体裏面の表示部と第２の筐体裏面の表示部とを視認することが可能である。
【発明の効果】
【００１６】
本発明によれば、ヒンジ部を中心に開閉可能に連結された第１及び第２の筐体を有し、第１の筐体の表及び裏面にそれぞれ表示部を備えた折り畳み式の携帯電話端末において、第２の筐体の裏面にも表示部を備えるようにしたことにより、携帯電話端末が折り畳んだ状態で机などに置かれる際、第１の筐体と第２の筐体のどちらを上側にして置かれたとしてもユーザは表示部を視認することができ、携帯電話端末を机などに置く際に置く向きを気にする必要がないので、利便性を向上することができるという効果が得られる。
【発明を実施するための最良の形態】
【００１７】
以下、本発明の実施例について図面を参照して説明する。
【００１８】
図１は本発明の実施例による携帯電話端末の筐体を開いた状態での外観を示す図であり、（ａ）は携帯電話端末を正面から見た図であり、（ｂ）は携帯電話端末を側面から見た図であり、（ｃ）は携帯電話端末を背面から見た図である。また、図２は図１の携帯電話端末の筐体を閉じた状態での外観を示す図であり、（ａ）は携帯電話端末を上側筐体側から見た図であり、（ｂ）は携帯電話端末を側面から見た図であり、（ｃ）は携帯電話端末を下側筐体側から見た図である。
【００１９】
図１及び図２に示すように、本発明の実施例による携帯電話端末は、上側筐体１と下側筐体２がヒンジ部８で接続されヒンジ部８を中心に開閉可能な折り畳み式の携帯電話端末である。図１（ａ）に示すように、上側筐体１の正面側（折り畳んだ状態で下側筐体２と向かい合う表面）には第１の表示部３と、受話部７と、磁石１４とを備え、図１（ｃ）に示すように、上側筐体１の背面側（裏面）にはカメラ部６と、光センサ５と、第２の表示部４とを備えている。また、図１（ａ）に示すように、下側筐体２の正面側（折り畳んだ状態で上側筐体１と向かい合う表面）には操作部１１と、送話部１２と、磁気センサ１６とを備え、図１（ｃ）に示すように、下側筐体２の背面側（裏面）には電池部９と、第３の表示部１０とを備え、図１（ｂ）に示すように、下側筐体２の側面側にはサイドキー１３を備えている。
【００２０】
図３は本発明の実施例による携帯電話端末の構成を示すブロック図である。図３に示すように、第１の表示部３、カメラ部６、第２の表示部４、光センサ５、操作部１１、サイドキー１３、第３の表示部１０及び磁気センサ１６は制御部１５に接続されている。また、上側筐体１の磁石１４と下側筐体２の磁気センサ１６は、上側筐体１と下側筐体２の開閉を検出する開閉検出手段である。なお、図３においては、図１及び図２に示した受話部７、送話部１２及び電池部９は本発明と直接関係しないため、その図示を省略している。
【００２１】
図１に示すように、携帯電話端末の筐体を開いている状態においては、磁気センサ１６は開状態を検出する。制御部１５は磁気センサ１６による開状態の検出に応答して、第１の表示部３に各種情報を表示させる（図１（ａ）参照）。このとき、第２の表示部４及び第３の表示部１０は制御部１５によりオフされる（図１（ｃ）参照）。
【００２２】
図２に示すように、携帯電話端末の筐体を閉じている状態においては、磁気センサ１６は閉状態を検出する。制御部１５は磁気センサ１６による閉状態の検出に応答して、第２の表示部４に各種情報を表示させる（図２（ａ）参照）。このとき、第１の表示部３は制御部１５によりオフされ、第３の表示部１０も制御部１５によりオフされる（図２（ｃ）参照）。
【００２３】
図４は本発明の実施例による携帯電話端末の下側筐体２を下側にして端末を机２０に置いた場合の状態を示す図であり、（ａ）は携帯電話端末を上側筐体側から見た図であり、（ｂ）は携帯電話端末を側面から見た図である。また、図５は本発明の実施例による携帯電話端末の上側筐体１を下側にして端末を机２０に置いた場合の状態を示す図であり、（ａ）は携帯電話端末を下側筐体側から見た図であり、（ｂ）は携帯電話端末を側面から見た図である。
【００２４】
図４に示すように、携帯電話端末を折り畳んだ状態で下側筐体２を下側にして机２０に置いた場合、第２の表示部４は各種情報を表示した状態のままである（図４（ａ）参照）。次に図５に示すように、携帯電話端末を折り畳んだ状態で上側筐体１を下側にして机２０に置いた場合、光センサ５は下側で光が遮断されたことを検出する。すなわち、光センサ５により検出される明るさレベルが所定の閾値レベルより小となって光が遮断されたと判断されると、制御部１５は第３の表示部１０に各種情報を表示させる（図５（ａ）参照）。このとき、第２の表示部４の表示は制御部１５によりオフされる。
【００２５】
以上説明したように、本発明の実施例による折り畳み式の携帯電話端末は、３つの表示部３，４及び１０を備えており、筐体を閉じている状態で端末を机などに置く場合、上側筐体１を上側にして置いた場合は第２の表示部４には情報を表示したままとなり、また、下側筐体２を上側にして置いた場合は光センサ５の検出結果を基に第３の表示部１０に情報を表示し、第２の表示部４の表示はオフする。このように、携帯電話端末の上側筐体１と下側筐体２のどちら側を上にして置いても上側となる表示部には各種情報が表示されるので、ユーザは端末を置く向きなどを気にする必要がなく、よって利便性を向上することができる。
【００２６】
なお、本発明の実施例においては更に、例えばサイドキー１３を押下することにより、ユーザが第２の表示部４と第３の表示部１０の表示を切替えることができるようにしてもよい。
【００２７】
すなわち、図２に示すように、携帯電話端末の筐体を閉じた状態で第２の表示部４のみが各種情報の表示を行なっている状態において、ユーザがサイドキー１３を押下すると、制御部１５はサイドキー１３の押下に応答して、第２の表示部４の表示をオフし、第３の表示部１０に各種情報の表示を行なわせる。このときの状態が図６に示されている。なお、図６は図２の状態においてサイドキー１３が押下された場合の携帯電話端末の外観を示す図であり、（ａ）は携帯電話端末を上側筐体側から見た図であり、（ｂ）は携帯電話端末を側面から見た図であり、（ｃ）は携帯電話端末を下側筐体側から見た図である。
【００２８】
この場合、再びサイドキー１３が押下されれば、制御部１５の制御により第３の表示部１０の表示がオフされ、第２の表示部４に表示が切替えられることは勿論である。
【００２９】
また、本発明の実施例による携帯電話端末では、下側筐体２に第３の表示部１０を設けているため、携帯電話端末の筐体を閉じた状態で上側筐体１に設けられたカメラ部６を用いて撮影を行なう場合でも、ユーザはカメラ部６からの画像を確認しながら撮影を行うことができる。
【００３０】
図７は本発明の実施例による携帯電話端末の筐体を閉じた状態でカメラ部６を用いて撮影を行なう場合の状態を示す図である。まず、携帯電話端末の筐体を閉じた状態でカメラ部６が起動されると、図７に示すように、制御部１５は第３の表示部１０をオンし、カメラ部６からの画像を第３の表示部１０に表示させる。したがって、ユーザは被写体３０を第３の表示部１０で確認しながら撮影を行うことができるのである。なお、この場合、サイドキー１３をカメラ撮影のシャッターキーとして用いるようにしてもよい。
【００３１】
従来の携帯電話端末は表示部を１つ、または２つ備えているものが一般的であり、携帯電話端末の筐体を閉じている状態でカメラ撮影できるものとしては、カメラを下側筐体に実装して上側筐体の背面側の表示部に被写体を映して撮影するものがある。その他、ヒンジ部に回転ヒンジ構造や２軸ヒンジ構造を採用して上側筐体の正面側の表示部に被写体を映して撮影するものもある。本発明の実施例による携帯電話端末は下側筐体２の背面側に第３の表示部１０を備えているため、カメラ６を上側筐体１に実装し通常の折り畳み式のヒンジ８を採用しても、携帯電話端末の筐体を閉じた状態でカメラ撮影をする場合、上述したように下側筐体２に実装している第３の表示部１０に被写体を映して撮影をすることができる。
【図面の簡単な説明】
【００３２】
【図１】本発明の実施例による携帯電話端末の筐体を開いた状態での外観を示す図であり、（ａ）は携帯電話端末を正面から見た図であり、（ｂ）は携帯電話端末を側面から見た図であり、（ｃ）は携帯電話端末を背面から見た図である。
【図２】図１の携帯電話端末の筐体を閉じた状態での外観を示す図であり、（ａ）は携帯電話端末を上側筐体側から見た図であり、（ｂ）は携帯電話端末を側面から見た図であり、（ｃ）は携帯電話端末を下側筐体側から見た図である。
【図３】図１の携帯電話端末の構成を示すブロック図である。
【図４】本発明の実施例による携帯電話端末の下側筐体を下側にして端末を机に置いた場合の状態を示す図であり、（ａ）は携帯電話端末を上側筐体側から見た図であり、（ｂ）は携帯電話端末を側面から見た図である。
【図５】本発明の実施例による携帯電話端末の上側筐体を下側にして端末を机に置いた場合の状態を示す図であり、（ａ）は携帯電話端末を下側筐体側から見た図であり、（ｂ）は携帯電話端末を側面から見た図である。
【図６】図２の状態においてサイドキーが押下された場合の携帯電話端末の外観を示す図であり、（ａ）は携帯電話端末を上側筐体側から見た図であり、（ｂ）は携帯電話端末を側面から見た図であり、（ｃ）は携帯電話端末を下側筐体側から見た図である。
【図７】本発明の実施例による携帯電話端末の筐体を閉じた状態でカメラ部を用いて撮影を行なう場合の状態を示す図である。
【符号の説明】
【００３３】
１    上側筐体
２    下側筐体
３    第１の表示部
４    第２の表示部
５    光センサ
６    カメラ部
７    受話部
８    ヒンジ部
９    電池部
１０    第３の表示部
１１    操作部
１２    送話部
１３    サイドキー
１４    磁石
１５    制御部
１６    磁気センサ
２０    机
３０    被写体
【図１】
2007036636.tif 000003
【図２】
2007036636.tif 000004
【図３】
2007036636.tif 000005
【図４】
2007036636.tif 000006
【図５】
2007036636.tif 000007
【図６】
2007036636.tif 000008
【図７】
2007036636.tif 000009